(57)【要約】【課題】本発明は、ユーザの使い勝手を向上させ得る映像記録装置を提案する。【解決手段】撮像センサにより取得した信号に基づく映像信号をディスクメディアに記録する映像記録装置であって、ディスクメディアの種類を認識する認識部と、認識部が第１のディスクメディアであると判断したときに、信号に基づいて第１の映像信号を生成する第１の映像信号生成部と、認識部が第１のディスクメディアと異なる第２のディスクメディアであると判断したときに、第１の映像信号生成部により生成された第１の映像信号に基づいて第２の映像信号を生成する第２の映像信号生成部と、第１の映像信号生成部により生成された第１の映像信号に基づく記録信号を第１のディスクメディアに記録し、又は第２の映像信号生成部により生成された第２の映像信号に基づく記録信号を第２のディスクメディアに記録する記録部とを備えることを特徴とする。【選択図】図４
2009044639.tif 000002
【特許請求の範囲】
【請求項１】
撮像センサにより取得した信号に基づく映像信号をディスクメディアに記録する映像記録装置であって、
前記ディスクメディアの種類を認識する認識部と、
前記認識部が第１のディスクメディアであると判断したときに、前記信号に基づいて第１の映像信号を生成する第１の映像信号生成部と、
前記認識部が前記第１のディスクメディアと異なる第２のディスクメディアであると判断したときに、前記第１の映像信号生成部により生成された前記第１の映像信号に基づいて第２の映像信号を生成する第２の映像信号生成部と、
前記第１の映像信号生成部により生成された前記第１の映像信号に基づく記録信号を前記第１のディスクメディアに記録し、又は前記第２の映像信号生成部により生成された前記第２の映像信号に基づく記録信号を前記第２のディスクメディアに記録する記録部と
を備えることを特徴とする映像記録装置。
【請求項２】
前記第２の映像信号生成部は、
前記記録信号として予め前記第２の映像信号が設定されているときに、前記第２の映像信号を生成し、
前記記録部は、
前記第２の映像信号生成部により生成された前記第２の映像信号に基づく記録信号を前記第１のディスクメディア又は前記第２のディスクメディアに記録する
ことを特徴とする請求項１に記載の映像記録装置。
【請求項３】
前記記録部は、
前記第１の映像信号生成部又は前記第２の映像信号生成部により生成された前記第１の映像信号又は前記第２の映像信号に基づく記録信号をハードディスクドライブに記録する
ことを特徴とする請求項１に記載の映像記録装置。
【請求項４】
前記第２の映像信号生成部は、
前記第１の映像信号に帯域制限処理を実行し、ダウンサイジング処理を実行することにより、前記第２の映像信号を生成する
ことを特徴とする請求項１に記載の映像記録装置。
【請求項５】
前記第１のディスクメディアは、ブルーレイディスクであり、
前記第２のディスクメディアは、ＤＶＤであり、
前記第１の映像信号は、ハイ・ディフィニションの映像信号であり、
前記第２の映像信号は、スタンダード・ディフィニションサイズの映像信号である
ことを特徴とする請求項１に記載の映像記録装置。
【請求項６】
撮像センサにより取得した信号に基づく映像信号をディスクメディアに記録する映像記録方法であって、
前記ディスクメディアの種類を認識する第１のステップと、
前記第１のステップにおいて第１のディスクメディアであると判断したときに、前記信号に基づいて第１の映像信号を生成する第２のステップと、
前記第１のステップにおいて前記第１のディスクメディアと異なる第２のディスクメディアであると判断したときに、前記第２のステップにおいて生成した前記第１の映像信号に基づいて第２の映像信号を生成する第３のステップと、
前記第２のステップにおいて生成した前記第１の映像信号に基づく記録信号を前記第１のディスクメディアに記録し、又は第３のステップにおいて生成した前記第２の映像信号に基づく記録信号を前記第２のディスクメディアに記録する第４のステップと
を備えることを特徴とする映像記録方法。
【請求項７】
前記第３のステップでは、
前記記録信号として予め前記第２の映像信号が設定されているときに、前記第２の映像信号を生成し、
前記第４のステップでは、
前記第３のステップにおいて生成した前記第２の映像信号に基づく記録信号を前記第１のディスクメディア又は前記第２のディスクメディアに記録する
ことを特徴とする請求項６に記載の映像記録方法。
【請求項８】
前記第４のステップでは、
前記第２のステップ又は前記第３のステップにおいて生成した前記第１の映像信号又は前記第２の映像信号に基づく記録信号をハードディスクドライブに記録する
ことを特徴とする請求項６に記載の映像記録方法。
【請求項９】
前記第３のステップでは、
前記第１の映像信号に帯域制限処理を実行し、ダウンサイジング処理を実行することにより、前記第２の映像信号を生成する
ことを特徴とする請求項６に記載の映像記録方法。
【請求項１０】
前記第１のディスクメディアは、ブルーレイディスクであり、
前記第２のディスクメディアは、ＤＶＤであり、
前記第１の映像信号は、ハイ・ディフィニションサイズの映像信号であり、
前記第２の映像信号は、スタンダード・ディフィニションサイズの映像信号である
ことを特徴とする請求項６に記載の映像記録方法。
【請求項１１】
撮像センサにより取得した信号に基づく映像信号をディスクメディアに記録する映像記録装置であって、
前記ディスクメディアの種類を認識する認識部と、
前記認識部が第１のディスクメディアであると判断したときに、前記信号に基づいて第１の映像信号を生成する第１の映像信号生成部と、
前記認識部が前記第１のディスクメディアと異なる第２のディスクメディアであると判断したときに、前記信号に基づいて第２の映像信号を生成する第２の映像信号生成部と、
前記第１の映像信号生成部により生成された前記第１の映像信号に基づく記録信号を前記第１のディスクメディアに記録し、又は前記第２の映像信号生成部により生成された前記第２の映像信号に基づく記録信号を前記第２のディスクメディアに記録する記録部と
を備えることを特徴とする映像記録装置。 
【発明の詳細な説明】
【技術分野】
【０００１】
本発明は、映像記録装置及び映像記録方法に関し、例えば、ディジタルビデオカメラに適用して好適なものである。
【背景技術】
【０００２】
従来、ＣＣＤ（Charge Coupled Devices）により取得した被写体の映像を、スタンダード・ディフィニションサイズ（ＳＤサイズ）（768×480）の映像信号に変換して、ＤＶＤ（Digital Versatile Disk）に記録するディジタルビデオカメラが広く普及している。
【０００３】
また、近年では、動画を撮影するモードと静止画を撮影するモードとに分かれており、一つの撮像素子を用いて広角の撮像を行い、該撮像素子から一部の撮像領域の切り出しを行い動画像の生成し、全体あるいは動画像より広い撮像領域から静止画像を生成する技術が提案されている（例えば、特許文献１参照。）
【０００４】
さらに近年では、大容量記録媒体であるブルーレイディスク（Blu-ray Disc :BD）に記録するディジタルビデオカメラが登場したことにより、ＣＣＤにより取得した被写体の映像を、より高画質なハイ・ディフィニションサイズ（ＨＤサイズ）（1920×540）の映像信号に変換して記録することが可能となった。
【特許文献１】特開２００２−１９４０８９号公報
【発明の開示】
【発明が解決しようとする課題】
【０００５】
しかしながら、ユーザが用途に応じてＤＶＤ及びブルーレイディスクのどちらかのディスクメディアを選択して記録したいという要望や、すでにユーザが大量に購入しており、購入したＤＶＤで記録をしたいという要望といった種々の要望がある。
【０００６】
本発明は以上の点を考慮してなされたもので、ユーザの使い勝手を向上させ得る映像記録装置及び映像記録方法を提案しようとするものである。
【課題を解決するための手段】
【０００７】
かかる課題を解決するために本発明においては、撮像センサにより取得した信号に基づく映像信号をディスクメディアに記録する映像記録装置であって、ディスクメディアの種類を認識する認識部と、認識部が第１のディスクメディアであると判断したときに、信号に基づいて第１の映像信号を生成する第１の映像信号生成部と、認識部が第１のディスクメディアと異なる第２のディスクメディアであると判断したときに、第１の映像信号生成部により生成された第１の映像信号に基づいて第２の映像信号を生成する第２の映像信号生成部と、第１の映像信号生成部により生成された第１の映像信号に基づく記録信号を第１のディスクメディアに記録し、又は第２の映像信号生成部により生成された第２の映像信号に基づく記録信号を第２のディスクメディアに記録する記録部とを備えることを特徴とする。
【０００８】
従って、ディスクメディアの容量を考慮して、複数種類の映像信号を生成することができるため、ユーザが用途に応じて第１のディスクメディア及び第２のディスクメディアのどちらかのディスクメディアを選択して記録することができる。
【０００９】
また、本発明においては、撮像センサにより取得した信号に基づく映像信号をディスクメディアに記録する映像記録方法であって、ディスクメディアの種類を認識する第１のステップと、第１のステップにおいて第１のディスクメディアであると判断したときに、信号に基づいて第１の映像信号を生成する第２のステップと、第１のステップにおいて第１のディスクメディアと異なる第２のディスクメディアであると判断したときに、第２のステップにおいて生成した第１の映像信号に基づいて第２の映像信号を生成する第３のステップと、第２のステップにおいて生成した第１の映像信号に基づく記録信号を第１のディスクメディアに記録し、又は第３のステップにおいて生成した第２の映像信号に基づく記録信号を第２のディスクメディアに記録する第４のステップとを備えることを特徴とする。
【００１０】
従って、ディスクメディアの容量を考慮して、複数種類の映像信号を生成することができるため、ユーザが用途に応じて第１のディスクメディア及び第２のディスクメディアのどちらかのディスクメディアを選択して記録することができる。
【００１１】
さらに、本発明においては、撮像センサにより取得した信号に基づく映像信号をディスクメディアに記録する映像記録装置であって、ディスクメディアの種類を認識する認識部と、認識部が第１のディスクメディアであると判断したときに、信号に基づいて第１の映像信号を生成する第１の映像信号生成部と、認識部が第１のディスクメディアと異なる第２のディスクメディアであると判断したときに、信号に基づいて第２の映像信号を生成する第２の映像信号生成部と、第１の映像信号生成部により生成された第１の映像信号に基づく記録信号を第１のディスクメディアに記録し、又は第２の映像信号生成部により生成された第２の映像信号に基づく記録信号を第２のディスクメディアに記録する記録部とを備えることを特徴とする。
【００１２】
従って、ディスクメディアの容量を考慮して、複数種類の映像信号を生成することができるため、ユーザが用途に応じて第１のディスクメディア及び第２のディスクメディアのどちらかのディスクメディアを選択して記録することができる。
【発明の効果】
【００１３】
本発明によれば、ユーザの使い勝手を向上させ得る映像記録装置及び映像記録方法を実現できる。
【発明を実施するための最良の形態】
【００１４】
以下図面について、本発明の一実施の形態を詳述する。
【００１５】
図１は、本実施の形態によるディジタルビデオカメラ１の概要図である。ディジタルビデオカメラ１は、レンズ２、撮像センサ（ＣＣＤ）３、カメラ信号処理部４、圧縮伸張部５、制御マイコン６、信号処理部７、ハードディスクドライブ（ＨＤＤ）８、ディスクメディア９が挿入されるディスクメディアドライブ（図示せず）、操作スイッチ部１０、充電部１１、バッテリ１２、外部電源入力部１３、液晶ディスプレイ（Liquid Crystal Monitor :LCD）１４及び外部入出力部１５から構成されている。
【００１６】
この場合、撮像センサ３は、レンズ２を介して取得した被写体の映像を電気信号に変換してカメラ信号処理部４に送信する。カメラ信号処理部４は、送信された電気信号を映像信号に変換して圧縮伸張部５に送信する。
【００１７】
圧縮伸張部５は、送信された映像信号を液晶ディスプレイ１４に送信する。これにより、映像信号に基づく映像が液晶ディスプレイ１４に表示される。
【００１８】
また、圧縮伸張部５は、送信された映像信号を圧縮することにより、ディジタル映像信号に変換して信号処理部７に送信する。また、圧縮伸張部５は、外部入出力部１５を介して送信された外部入力映像信号をディジタル映像信号に変換して信号処理部７に送信する。
【００１９】
信号処理部７は、送信されたディジタル映像信号を、ハードディスクドライブ８、又はディスクメディアドライブに挿入されたブルーレイディスクやＤＶＤ等のディスクメディア９に記録する。また、信号処理部７は、例えば、ブルーレイディスクやＤＶＤ等のディスクメディア９に記録されたディジタル映像信号を読み出して、ハードディスクドライブ８に記録するといったメディア間のダビング処理を実行する。
【００２０】
一方、信号処理部７は、ハードディスクドライブ８、又はブルーレイディスクやＤＶＤ等のディスクメディア９に記録されたディジタル映像信号を読み出して圧縮伸張部５に送信する。圧縮伸張部５は、送信されたディジタル映像信号を伸張することにより、映像信号に変換して液晶ディスプレイ１４に送信する。これにより、映像信号に基づく映像が液晶ディスプレイ１４に表示される。
【００２１】
外部電源入力部１１は、ＡＣ電源等の外部からの電源を供給する。充電部１２は、外部電源入力部１１より外部電源が供給されることでバッテリ１３を充電する。これにより、外部電源入力部１１より電源が供給されているときは、外部電源によってディジタルビデオカメラ１を動作させ、外部電源が供給されていないときは、バッテリ１３からの電源供給によってディジタルビデオカメラ１を動作させる。なお、充電に必要な機能の全てが当該ディジタルビデオカメラ１に内蔵されている必要はなく、外部電源入力部１１の外に充電に必要な機能の一部又は全てがあるものであってもよい。
【００２２】
制御マイコン６は、ユーザによる操作スイッチ１０の操作等に基づいて、カメラ信号処理部４、圧縮伸張部５、信号処理部７及びバッテリ１２を制御する。制御マイコン６による制御については、後述する。
【００２３】
なお、図１では、各構成を説明の都合上分けて記載したが、回路設計等に応じて適宜1チップにまとめてもよいものとする。これにより、制御の容易性や回路設計のスペース上有利になることもあるからである。また、液晶ディスプレイ１４は、例えば、有機ＥＬディスプレイ等の映像を表示する機器であればよい。
【００２４】
図２は、本実施の形態によるカメラ信号処理部４の概要図である。カメラ信号処理部４は、ＨＤサイズの映像信号（以下、ＨＤ映像信号と呼ぶ。）を生成するＨＤ映像信号生成部２１及びＳＤサイズの映像信号（以下、ＳＤ映像信号と呼ぶ。）を生成するＳＤ映像信号生成部２２から構成される。
【００２５】
ＨＤ映像信号生成部２１は、制御マイコン部６からの指示を受信すると、撮像センサ３から送信される電気信号に種々の画像変換処理を実行することにより、ＨＤ映像信号を生成し、制御マイコン部６からの指示に基づいて、当該ＨＤ映像信号をＳＤ映像信号生成部２２に送信し、又は当該ＨＤ映像信号を上述の変換した映像信号として圧縮伸張部５に送信する。
【００２６】
ＳＤ映像信号生成部２２は、制御マイコン部６からの指示を受信すると、ＨＤ映像信号生成部２１から送信されるＨＤ映像信号に画素数変換処理を実行することにより、ＳＤ映像信号を生成し、制御マイコン部６からの指示に基づいて、当該ＳＤ映像信号を上述の変換した映像信号として圧縮伸張部５に送信する。
【００２７】
具体的に、ＳＤ映像信号生成部２２は、例えば、７６８画素（水平方向）又は４８０画素（垂直方向）でのサンプリング周波数を２で除算し、当該除算結果の周波数以上の高周波成分を除去することにより帯域制限処理を実行し、ＨＤ映像信号の水平方向の画素数である１９２０画素から７６８画素に、ＨＤ映像信号の垂直方向の画素数である５４０画素から４８０画素にダウンサイジング処理（サンプリング処理）を実行するようになされている。
【００２８】
なお、本発明では、制御マイコン部６からの指示によって、ＨＤ映像信号生成部２１が、撮像センサ３から送信される電気信号に画像変換処理を実行することなく、ＳＤ映像信号生成部２２に送信し、ＳＤ映像信号生成部２２が、ＨＤ映像信号生成部２１から送信される電気信号に種々の画像変換処理を実行することにより、ＳＤ映像信号を生成し、当該ＳＤ映像信号を上述の変換した映像信号として圧縮伸張部５に送信するようにしてもよい。
【００２９】
また、本発明では、ＨＤ映像信号生成部２１とＳＤ映像信号生成部２２とを並列に配置し、撮像センサ３から送信される電気信号に種々の画像変換処理を実行することにより、ＳＤ映像信号を生成し、当該ＳＤ映像信号を上述の変換した映像信号として圧縮伸張部５に送信するようにしてもよい。
【００３０】
図３は、本実施の形態による制御マイコン部６の概要図である。制御マイコン部６は、ディジタルビデオカメラ１全体の制御を行うマイコンであるＣＰＵ（Central Processing Unit）３１及びメモリ３２から構成されている。メモリ３２には、ＣＰＵ３１が種々の制御を実行するための制御プログラム３３及び記録する映像信号の種類が設定されている映像信号設定テーブル３４が格納されている。
【００３１】
ディジタルビデオカメラ１では、ユーザに操作スイッチ１０を操作させることにより、予めディスクメディア９に記録する映像信号をＨＤ映像信号とするかＳＤ映像信号とするか設定させて、当該設定結果を映像信号設定テーブル３４に格納するようになされている。
【００３２】
次に、本実施の形態におけるディジタルビデオカメラ１の制御マイコン部６における映像記録処理について説明する。
【００３３】
図４は、このディジタルビデオカメラ１の制御マイコン部６における映像記録処理に関する、制御マイコン部６のＣＰＵ３１の具体的な処理手順を示したフローチャートの一例である。
【００３４】
制御マイコン部６のＣＰＵ３１は、例えば、外部電源入力部１１より外部電源が供給され、ディスクメディア９が挿入されていることを認識すると、制御プログラム３３の映像記録プログラムを実行することにより、図４に示す映像記録処理手順ＲＴ１に従って、信号処理部７に指示を送信することにより、ディスクメディア９の種類を認識する（ＳＰ１）。
【００３５】
続いて、制御マイコン部６のＣＰＵ３１は、ディスクメディア９の種類がＤＶＤであるか否かをチェックする（ＳＰ２）。そして、制御マイコン部６のＣＰＵ３１は、ディスクメディア９の種類がＤＶＤでない場合（ＳＰ２：ＮＯ）、すなわち、ディスクメディア９の種類がブルーレイディスクである場合には、映像信号設定テーブル３４を参照することにより、ブルーレイディスクのディスクメディア９に記録する映像信号が、ＨＤ映像信号の映像信号に設定されているか否かをチェックする（ＳＰ３）。
【００３６】
そして、制御マイコン部６のＣＰＵ３１は、ブルーレイディスクのディスクメディア９に記録する映像信号が、ＨＤ映像信号の映像信号に設定されている場合（ＳＰ３：ＹＥＳ）には、信号処理部７のＨＤ映像信号生成部２１に指示を送信することにより、ＨＤ映像信号生成部２１にＨＤ映像信号を生成させ、ＳＤ映像信号生成部２２に送信せずに、当該ＨＤ映像信号を上述の変換した映像信号として圧縮伸張部５に送信させる（ＳＰ４）。
【００３７】
すなわち、制御マイコン部６のＣＰＵ３１は、ＨＤ映像信号を生成した後に、カメラ信号処理部４において帯域制限処理及びダウンサイジング処理を実行させずに、当該ＨＤ映像信号を上述の変換した映像信号として圧縮伸張部５に送信させるようになされている。
【００３８】
これに対して、制御マイコン部６のＣＰＵ３１は、ディスクメディア９の種類がＤＶＤである場合（ＳＰ２：ＹＥＳ）、又はブルーレイディスクのディスクメディア９に記録する映像信号が、ＨＤ映像信号の映像信号に設定されていない場合（ＳＰ３：ＮＯ）、ＳＤ映像信号の映像信号に設定されている場合には、信号処理部７のＨＤ映像信号生成部２１に指示を送信することにより、ＨＤ映像信号生成部２１にＨＤ映像信号を生成させ、ＳＤ映像信号生成部２２に送信させる。
【００３９】
その後、制御マイコン部６のＣＰＵ３１は、信号処理部７のＳＤ映像信号生成部２２に指示を送信することにより、送信されたＨＤ映像信号に基づいて、ＳＤ映像信号生成部２２にＳＤ映像信号を生成させ、当該ＳＤ映像信号を上述の変換した映像信号として圧縮伸張部５に送信させる（ＳＰ５）。
【００４０】
すなわち、制御マイコン部６のＣＰＵ３１は、ＨＤ映像信号を生成した後に、カメラ信号処理部４において帯域制限処理及びダウンサイジング処理を実行させて、ＨＤ映像信号をＳＤ映像信号に変換させ、当該ＳＤ映像信号を上述の変換した映像信号として圧縮伸張部５に送信させるようになされている。
【００４１】
なお、制御マイコン部６のＣＰＵ３１は、その後、圧縮伸張部５に指示を送信することにより、受信したＨＤ映像信号又はＳＤ映像信号を上述の変換した映像信号として圧縮伸張部５に送信させる。これにより、ＨＤ映像信号又はＳＤ映像信号に応じた画素数の映像が液晶ディスプレイ１４に表示される。
【００４２】
やがて、制御マイコン部６のＣＰＵ３１は、ユーザによる操作スイッチ１０の操作等に基づいて、当該操作スイッチ１０から録画開始の指示を受信するのを待機モードで待ち受ける（ＳＰ６）。
【００４３】
そして、制御マイコン部６のＣＰＵ３１は、操作スイッチ１０から録画開始の指示を受信すると（ＳＰ６：ＹＥＳ）、圧縮伸張部５及び信号処理部７に指示を送信することにより、ＨＤ映像信号又はＳＤ映像信号の映像信号に基づくディジタル映像信号のハードディスクドライブ８、又はブルーレイディスクやＤＶＤ等のディスクメディア９への記録を開始する（ＳＰ７）。
【００４４】
続いて、制御マイコン部６のＣＰＵ３１は、ユーザによる操作スイッチ１０の操作等に基づいて、当該操作スイッチ１０から録画終了の指示を受信するのを待機モードで待ち受ける（ＳＰ８）。
【００４５】
そして、制御マイコン部６のＣＰＵ３１は、操作スイッチ１０から録画終了の指示を受信すると（ＳＰ８：ＹＥＳ）、圧縮伸張部５及び信号処理部７に指示を送信することにより、ＨＤ映像信号又はＳＤ映像信号の映像信号に基づくディジタル映像信号のハードディスクドライブ８、又はブルーレイディスクやＤＶＤ等のディスクメディア９への記録を終了する（ＳＰ９）。
【００４６】
やがて、制御マイコン部６のＣＰＵ３１は、この後、この図４に示す映像記録処理手順ＲＴ１を終了する（ＳＰ１０）。
【００４７】
このようにして、ディジタルビデオカメラ１では、ディスクメディア９の種類を認識し、ディスクメディア９の種類がブルーレイディスクである場合には、ＨＤ映像信号を生成し、生成したＨＤ映像信号の映像信号に基づくディジタル映像信号をブルーレイディスクに記録する。一方、ディジタルビデオカメラ１では、ディスクメディア９の種類がＤＶＤである場合には、ＨＤ映像信号を生成した後に、ＨＤ映像信号に基づいてＳＤ映像信号を生成し、生成したＳＤ映像信号の映像信号に基づくディジタル映像信号をＤＶＤに記録する。
【００４８】
従って、ディスクメディア９の容量を考慮して、ＨＤ映像信号及びＳＤ映像信号の２種類の映像信号を生成することができるため、ユーザが用途に応じてＤＶＤ及びブルーレイディスクのどちらかのディスクメディア９を選択して記録することができ、かくして、ユーザの使い勝手を向上させることができる。
【００４９】
また、ディジタルビデオカメラ１では、ディスクメディア９の種類がブルーレイディスクであり、ブルーレイディスクに記録する映像信号が、ＳＤ映像信号の映像信号に設定されている場合には、ＳＤ映像信号を生成し、生成したＳＤ映像信号の映像信号に基づくディジタル映像信号をブルーレイディスクに記録することにより、ユーザがより長時間の記録を希望するときには、長時間の記録をすることができる。
【００５０】
なお、上述の実施の形態においては、ディスクメディア９がブルーレイディスクであるか又はＤＶＤであるかに基づいてＨＤ映像信号又はＳＤ映像信号を生成した場合について述べたが、本発明はこれに限らず、次世代のディスクメディア等に基づいて対応する映像信号を生成する場合についても適用することができる。
【００５１】
また、上述の実施の形態においては、ＨＤ映像信号及びＳＤ映像信号の２種類の映像信号を生成した場合について述べたが、本発明はこれに限らず、ディスクメディアの種類に応じて、２種類以上の複数種類の映像信号を生成し、２種類以上の複数種類のディスクメディアに記録するようにしてもよい。
【産業上の利用可能性】
【００５２】
本発明は、ディジタルビデオカメラ以外の撮影に基づく映像記録機器に広く適用することができる。
【図面の簡単な説明】
【００５３】
【図１】本実施の形態によるディジタルビデオカメラの概略的な構成を示すブロック図である。
【図２】カメラ信号処理部の概略的な構成を示すブロック図である。
【図３】制御マイコン部の概略的な構成を示すブロック図である。
【図４】映像記録処理手順を示すフローチャートである。
【符号の説明】
【００５４】
１……ディジタルビデオカメラ、２……レンズ、３……撮像センサ（ＣＣＤ）、４……カメラ信号処理部、５……圧縮伸張部、６……制御マイコン、７……信号処理部、８……ハードディスクドライブ（ＨＤＤ）、９……ディスクメディア、１０……操作スイッチ、１４……液晶ディスプレイ、２１……ＨＤ映像信号生成部、２２……ＳＤ映像信号処理部、３１……ＣＰＵ、３２……メモリ、３３……制御プログラム、３４……映像信号設定テーブル 
【図１】
2009044639.tif 000003
【図２】
2009044639.tif 000004
【図３】
2009044639.tif 000005
【図４】
2009044639.tif 000006